(57)【要約】【課題】調色が可能でありながらも出力輝度の向上を図ることが可能な有機電界発光素子を用いた照明装置を提供する。【解決手段】基板と、一対の電極層間に発光ユニットが挟持された構成であって、前記基板の一主面上に互いに積層して設けられた複数の有機電界発光素子と、前記有機電界発光素子間に挟持された絶縁層とを備え、前記複数の有機電界発光素子の発光をそれぞれ個別に駆動制御する発光駆動回路を備えた照明装置である。【選択図】図１
2018029032.tif 000002
【特許請求の範囲】
【請求項１】
基板と、
一対の電極層間に発光ユニットが挟持された構成であって、前記基板の一主面上に互いに積層して設けられた複数の有機電界発光素子と、
前記有機電界発光素子間に挟持された絶縁層とを備え、
前記複数の有機電界発光素子の発光をそれぞれ個別に駆動制御する発光駆動回路を備えた
照明装置。
【請求項２】
前記複数の有機電界発光素子のうちの少なくとも１つは、白色光を発光する
請求項１記載の照明装置。
【請求項３】
前記発光駆動回路は、発光駆動時には、前記複数の有機電界発光素子のうち前記白色光を発光する有機電界発光素子に対して常に電流を印加する
請求項２に記載の照明装置。
【請求項４】
前記複数の有機電界発光素子において発生させた発光光は、前記基板側及びその逆側の少なくとも一方を光取り出し側として外部に取り出され、
前記複数の有機電界発光素子のうち前記白色光を発光する有機電界発光素子は、前記光取り出し側に最も近く配置されている
請求項２または３に記載の照明装置。
【請求項５】
前記複数の有機電界発光素子は、前記発光ユニットを構成する発光層の構成材料が異なる
請求項１〜４の何れか１項に記載の照明装置。
【請求項６】
前記複数の有機電界発光素子は、色温度が異なる白色光を発光する
請求項１〜５の何れか１項に記載の照明装置。
【請求項７】
前記複数の有機電界発光素子のうちの少なくとも１つは、青色光または黄色光を発光する
請求項１〜６の何れか１項に記載の照明装置。
【請求項８】
前記電極層のうち、前記発光ユニット間に位置する電極層および前記光取り出し側に位置する電極層の少なくとも１つは、銀（Ａｇ）またはアルミニウム（Ａｌ）を用いて構成された光透過電極である
請求項１〜７の何れか１項に記載の照明装置。
【発明の詳細な説明】
【技術分野】
【０００１】
本発明は、照明装置に関し、特には有機電界発光素子を用いた照明装置に関する。
【背景技術】
【０００２】
有機電界発光素子を用いた照明装置として、１枚の基板上に複数の有機電界発光素子を設け、これらの有機電界発光素子の輝度を調整することにより、調光および調色を可能としたものがある。例えば、下記特許文献１には、発光色および発光開始電圧が異なる第１の発光素子と第２の発光素子とを並列に接続した構成の照明装置が開示されている。第１の発光素子と第２の発光素子とは、同一面上に並べて配置された構成、または絶縁層を介して積層された構成の何れも可能であるとしている（以上、下記特許文献１参照）。
【先行技術文献】
【特許文献】
【０００３】
【特許文献１】特開２０１２−１２４４７８号公報
【発明の概要】
【発明が解決しようとする課題】
【０００４】
しかしながら、第１の発光素子と第２の発光素子とが同一面上に並べて配置された構成の照明装置は、各発光素子の配置面積が狭くなるため、十分な輝度での調色を行うことが困難である。また、第１の発光素子と第２の発光素子とが同一面上に積層された構成の照明装置であっても、光取り出し側とは逆側に積層された発光素子からの光取り出し効率が十分ではないため、十分な輝度での調光および調色を行うことが困難であった。
【０００５】
そこで本発明は、調色・調光が可能でありながらも出力輝度の向上を図ることが可能な有機電界発光素子を用いた照明装置を提供することを目的とする。
【課題を解決するための手段】
【０００６】
以上のような目的を達成するための本発明は、基板と、一対の電極層間に発光ユニットが挟持された構成であって、前記基板の一主面上に互いに積層して設けられた複数の有機電界発光素子と、前記有機電界発光素子間に挟持された絶縁層とを備え、前記複数の有機電界発光素子の発光をそれぞれ個別に駆動制御する発光駆動回路を備えた照明装置である。
【発明の効果】
【０００７】
このような構成の本発明によれば、調色・調光が可能でありながらも光取り出し効率の向上を図ることが可能な有機電界発光素子を用いた照明装置を得ることができる。
【図面の簡単な説明】
【０００８】
【図１】第１実施形態に係る照明装置の断面模式図である。
【図２】第２実施形態に係る照明装置の断面模式図である。
【発明を実施するための形態】
【０００９】
以下本発明の照明装置に関する第１実施形態および第２実施形態を、図面に基づいて詳細に説明する。各実施形態で説明する照明装置は、有機電界発光素子を発光体として用いた照明装置であり、以下においては有機電界発光素子を単に発光素子と記す。
【００１０】
≪第１実施形態≫
図１は、第１実施形態に係る照明装置１の断面模式図である。この図に示す照明装置１は、基板１０、基板１０の一主面上に互いに積層された複数の（ここでは２つの）発光素子ＥＬ１，ＥＬ２、発光素子ＥＬ１と発光素子ＥＬ２との間に挟持された絶縁層２０、これらの発光素子ＥＬ１，ＥＬ２に接続された発光駆動回路３０、および制御部４０を備えている。これらの構成要素を備えた照明装置１は、発光素子ＥＬ１，ＥＬ２のうちの少なくとも１つが白色光を発光するものであることが特徴的である。また、これらの発光素子ＥＬ１，ＥＬ２の光取り出し側からの配置順、さらには発光駆動回路３０による発光素子ＥＬ１，ＥＬ２の駆動に特徴がある。以下、各構成要素の詳細と共にこれらの特徴を説明する。
【００１１】
［基板１０］
基板１０は、発光素子ＥＬ１，ＥＬ２の支持体となるものである。図示したように、照明装置１が、発光素子ＥＬ１，ＥＬ２において発生させた発光光ｈｗ，ｈｗ’を、基板１０側から取り出す構成である場合、この基板１０は光透過性を有する透明基板として構成される。一方、基板１０とは逆側からのみ発光光ｈｗ，ｈｗ’を取り出し、基板１０側からは発光光ｈｗ，ｈｗ’を取り出すことのない構成である場合、基板１０は光反射性を有する反射基板であることが好ましい。また、照明装置１が、フレキシブルに屈曲するものである場合、基板１０も樹脂フィルムやガラスフィルムのようにフレキシブルに屈曲する材料を用いて構成されることとする。なお、基板１０は、単一の基材からなる構成に限定されることはなく、バリア膜や平坦化膜などが基材の主面上に設けられた構成であってもよい。特に樹脂フィルムを用いた基板１０であれば、樹脂フィルムの主面をガスバリア層で覆った構成とすることが好ましい。
【００１２】
［発光素子ＥＬ１，ＥＬ２］
発光素子ＥＬ１，ＥＬ２は、それぞれが有機電界発光素子であって、光取り出し側（ここでは基板１０側）から、第１発光素子ＥＬ１、第２発光素子ＥＬ２の順に積層されている。これらの第１発光素子ＥＬ１および第２発光素子ＥＬ２は、少なくとも１つが白色光ｈｗを発光するものである。また、第１発光素子ＥＬ１および第２発光素子ＥＬ２のうち、最も光取り出し側に配置された第１発光素子ＥＬ１が、白色光ｈｗを発光するものであることが好ましい。次に、第１発光素子ＥＬ１と第２発光素子ＥＬ２の構成を、それぞれ説明する。
【００１３】
−第１発光素子ＥＬ１−
第１発光素子ＥＬ１は、複数の発光素子ＥＬ１，ＥＬ２のうち、光取り出し側（ここでは基板１０側）に最も近く配置されたものであり、ここでは白色光ｈｗを発光する有機電界発光素子であることとする。ここで第１発光素子ＥＬ１において発生させる白色光ｈｗは、相対色温度［Ｔｃｐ］が４０００Ｋ〜２００００Ｋ（色差［ｄｕｖ］＝±０．０２）程度の範囲の光である。またこの白色光ｈｗは、次に説明する第２発光素子ＥＬ２で発生させた発光光ｈｗ’との合成により、照明装置１に求められている照明光の色温度の範囲の調色を実施できればよい。
【００１４】
このような第１発光素子ＥＬ１は、一対の電極層１０１と電極層１０２との間に発光ユニット１０３を備えた構成である。
【００１５】
このうち電極層１０１，１０２は、発光ユニット１０３に対して、何れか一方が陽極として用いられ他方が陰極として用いられる。また特に、第１発光素子ＥＬ１の電極層１０１，１０２は共に透明電極層であって、シート抵抗が３０Ω／ｓｑ．以下であることが好ましく、１０Ω／ｓｑ．以下であることがより好ましい。また波長５５０ｎｍにおける光透過率が３０％以上であることが好ましく、５０％以上であることが好ましい。
【００１６】
以上のような電極層１０１，１０２を構成する導電材料は、陽極または陰極としてそれぞれに適切な導電性材料の中から、光透過性に優れた導電性材料が選択して用いられる。電極層１０１，１０２の構成に好適に用いられる導電性材料としては、例えばＩＺＯ、ＩＴＯ、ＺｎＯ、ＴｉＯ２、ＳｎＯ２等の金属酸化物等の透明導電性材料が挙げられる。
【００１７】
また、電極層１０１，１０２は、金属を主成分とした金属薄膜で構成されていてもよい。特に、照明装置１の製造プロセスにおいて発光ユニット１０３の上部に成膜される電極層（ここでは電極層１０２）は、蒸着法によって成膜可能な金属薄膜であることが好ましく、これにより発光ユニット１０３の損傷を防止することができる。
【００１８】
金属薄膜とは、厚さがおよそ６ｎｍ〜３０ｎｍの範囲内の金属膜である。金属薄膜に含まれる金属は、導電性の高い金属であれば特に制限されず、例えば銀（Ａｇ）、アルミニウム（Ａｌ）、銅（Ｃｕ）、金（Ａｕ）、白金（Ｐｔ）族、チタン（Ｔｉ）、クロム（Ｃｒ）等が例示される。電極層１０１，１０２には、これらの金属が１種のみ含まれてもよく、２種以上含まれてもよい。
【００１９】
また電極層１０１，１０２は、導電性が高いとの観点から、銀（Ａｇ）、アルミニウム（Ａｌ）、またはこれらを主成分とする合金を用いて構成されていることが好ましく、これにより、上述した６ｎｍ〜３０ｎｍの範囲の薄膜においての導電性と光透過性との両立が図られる。銀（Ａｇ）を主成分とする合金としては、例えば、銀マグネシウム（ＡｇＭｇ）、銀銅（ＡｇＣｕ）、銀パラジウム（ＡｇＰｄ）、銀パラジウム銅（ＡｇＰｄＣｕ）、銀インジウム（ＡｇＩｎ）等が挙げられる。
【００２０】
また特に、電極層１０１，１０２が、銀（Ａｇ）または銀（Ａｇ）を主成分とする金属薄膜を用いて構成されている場合、この金属薄膜に接して窒素（Ｎ）原子を含有する窒素含有層が設けられていることが好ましい。窒素（Ｎ）原子は、銀（Ａｇ）原子と強く相互作用して銀（Ａｇ）原子の移動を抑制するため、銀のマイグレーションを防止し金属薄膜の経時的な劣化を防止する。また窒素含有層を下地層として銀（Ａｇ）を主成分とする金属薄膜を成膜する際に、より均一な膜厚で金属薄膜を成膜することが可能となるため、導電性と光透過性とを兼ね備えた金属薄膜を成膜することが可能である。
【００２１】
なお、銀（Ａｇ）または銀（Ａｇ）を主成分とする金属薄膜に接して、発光ユニット１０３側に窒素含有層を設ける場合、この窒素含有層は、発光ユニット１０３を構成する層の一部としてもよいし、発光ユニット１０３としての機能を持たない層として設けてもよい。
【００２２】
発光ユニット１０３は、有機材料を用いて構成された積層体であり、少なくとも白色光ｈｗを発光する発光層を備えていれば、その積層構造が限定されることはなく、有機電界発光素子における陽極と陰極との間に挟持される発光ユニットとして適用される積層構造のものを、広く用いることができる。一例として、陽極側から順に、正孔注入層／正孔輸送層／発光層／電子輸送層／電子注入層を積層させた構成が例示される。これらの層の他にも、必要に応じて電子阻止層や正孔阻止層を設けてもよい。また各注入層および輸送層は、これらの層を共通化した輸送注入層としてもよい。
【００２３】
このうち発光層は、電極層１０１，１０２から導入された正孔と電子とが再結合することによって発光光を発生する部分であり、上述した温度範囲の白色光ｈｗを発生する構成であれば、リン光発光層であっても蛍光発光層であってもよく、特にその材料構成が限定されることはない。また白色光ｈｗを発生する発光層は、青色光を発生する青色発光層と黄色光を発生する黄色発光層との積層構造であってもよい。この場合、青色発光層および黄色発光層を構成するドーパント材料の選択、さらにはそれぞれの層の材料組成比により、色温度が調整された白色光ｈｗを発生する。
【００２４】
また第１発光素子ＥＬ１の発光ユニット１０３は、取り出される光が白色光ｈｗであれば、中間層を介して複数の発光ユニットを積層した構成であってもよい。この中間層は、電荷発生機能を有する構成であれば有機、無機問わず選択できる。
【００２５】
以上のように照明装置１は、白色光ｈｗを発する第１発光素子ＥＬ１を有することにより、２つの発光素子からの光を合成して白色光を得る構成と比較して、高効率で白色光ｈｗを得ることが可能である。さらに白色光ｈｗを発する第１発光素子ＥＬ１を光取り出し側に最も近い位置に設けた構成とすることにより、効率よく発生させた白発光を装置内で吸収させることなく、極めて効率よく基板１０側から取り出すことが可能である。
【００２６】
−第２発光素子ＥＬ２−
第２発光素子ＥＬ２は、絶縁層２０を介して第１発光素子ＥＬ１に積層して設けられ、最も光取り出し側から遠く配置されたものであって、ここでは第１発光素子ＥＬ１で発生させた白色光ｈｗの調光・調色に用いられる有機電界発光素子であることとする。すなわち、第２発光素子ＥＬ２は、第１発光素子ＥＬ１で発生させた所定の色温度の白色光ｈｗを、照明装置１に求められている照明光の色温度の範囲で調整して基板１０側から取り出すための光を発生する。
【００２７】
このような第２発光素子ＥＬ２は、白色光ｈｗ’、青色光ｈｂ、または黄色光ｈｙを発光する有機電界発光素子であることとする。第２発光素子ＥＬ２が、白色光ｈｗ’を発光する有機電界発光素子である場合、その白色光ｈｗ’は、第１発光素子ＥＬ１で発生させた白色光ｈｗとは異なる色温度であることとする。第２発光素子ＥＬ２が、白色光ｈｗ’を発生するものである場合、照明装置１による調色を可能としつつ広い範囲での調光が可能である。一方、第２発光素子ＥＬ２が青色光ｈｂまたは黄色光ｈｙを発生するものである場合、照明装置１による広い範囲での調色が可能である。以下においては、第２発光素子ＥＬ２で発生する発光光が、白色光ｗ’である場合を例示して説明を行う。
【００２８】
このような第２発光素子ＥＬ２は、一対の電極層２０１と電極層２０２との間に発光ユニット２０３を備えた構成である。
【００２９】
このうち電極層２０１，２０２は、発光ユニット２０３に対して、何れか一方が陽極として用いられ他方が陰極として用いられる。また特に、光取り出し側に配置された電極層２０１は透明電極層であって、上述した第１発光素子ＥＬ１の電極層１０１，１０２と同様の構成のものである。また透明電極層である電極層２０１が、銀（Ａｇ）または銀（Ａｇ）を主成分とする金属薄膜を用いて構成されている場合、この金属薄膜に接して窒素（Ｎ）原子を含有する窒素含有層が設けられていることが好ましいことも、上述した第１発光素子ＥＬ１の電極層１０１，１０２と同様である。
【００３０】
一方、一対の電極層２０１，２０２のうち、光取り出し側とは逆側に配置された電極層２０２は、反射電極層として構成されることが好ましい。これにより第２発光素子ＥＬ２で発生させた白色光ｈｗ’だけではなく、第１発光素子ＥＬ１で発生させた白色光ｈｗを’、電極層２０２で反射させて基板１０側から取り出すことができる。反射電極層として構成される電極層２０２は、陰極または陽極として適切な導電性材料から、反射特性に優れた金属材料を用いて構成される。このような金属材料として、金（Ａｕ）、白金（Ｐｔ）、銀（Ａｇ）、銅（Ｃｕ）、アルミニウム（Ａｌ）等が例示される。
【００３１】
発光ユニット２０３は、有機材料を用いて構成された積層体であり、少なくとも白色光ｈｗ’（青色光ｈｂまたは黄色光ｈｙ）を発光する発光層を備えていれば、その積層構造が限定されることはなく、有機電界発光素子における陽極と陰極との間に挟持される発光ユニットとして適用される積層構造のものを、広く用いることができる。このような発光ユニット２０３の積層構造の一例は、第１発光素子ＥＬ１の発光ユニット１０３と同様の構成が例示されるが、発光ユニット１０３と同一の積層構造に限定されることはない。
【００３２】
そして、以上のような第２発光素子ＥＬ２における発光ユニット２０３の発光層は、第１発光素子ＥＬ１の発光ユニット１０３において発生させる白色光ｈｗとは異なる色温度の白色光ｈｗ’を発生する構成であれば、リン光発光層であっても蛍光発光層であってもよく、特にその材料構成が限定されることはない。このような白色光ｈｗ’を発生する発光層は、青色光を発生する青色発光層と黄色光を発生する黄色発光層との積層構造であってもよい。この場合、青色発光層および黄色発光層を構成するドーパント材料の選択、さらにはそれぞれの層の材料組成比により、色温度が調整された白色光ｈｗ’を発生する。
【００３３】
なお、第２発光素子ＥＬ２の発光ユニット２０３が、青色光ｈｂまたは黄色光ｈｙを発光する有機電界発光素子である場合、その発光層は青色光を発生する青色発光層または黄色光を発生する黄色発光層である。
【００３４】
また第２発光素子ＥＬ２の発光ユニット２０３は、中間層を介して複数の発光ユニットを積層した構成であってもよい。
【００３５】
［絶縁層２０］
絶縁層２０は、第１発光素子ＥＬ１と第２発光素子ＥＬ２とを絶縁するための層である。このような絶縁層２０は、第１発光素子ＥＬ１と第２発光素子ＥＬ２とを絶縁状態とし、かつ第２発光素子ＥＬ２で発生させた白色光ｈｗ’（青色光ｈｂまたは黄色光ｈｙ）の透過を阻害することがない材質及び膜厚を有していることとする。さらに絶縁層２０は、第１発光素子ＥＬ１で発生させた白色光ｈｗの透過を阻害することがない材質及び膜厚を有していることが好ましく、これにより第２発光素子ＥＬ２の光反射性を有する電極層２０２において白色光ｈｗを反射させて取り出すことが可能となる。
【００３６】
また、絶縁層２０に接して設けられる第１発光素子ＥＬ１の電極層１０２および第２発光素子ＥＬ２の電極層２０１の何れかが銀（Ａｇ）を用いて構成されている場合、絶縁層２０は上述した窒素含有層として構成されていていることが好ましい。
【００３７】
さらに、絶縁層２０は、この上部に電極層２０１を成膜する際に、既に成膜されている第１発光素子ＥＬ１の損傷を防止するための緩衝機能を有していてもよい。特に電極層２０１が、絶縁層２０の上部にスパッタ法によって形成される金属酸化物層である場合、絶縁層２０は緩衝機能を有していること好ましい。緩衝機能を有する絶縁層２０は、有機材料を用いて構成され、特に屈折率が十分に高い有機材料であれば、膜密度が高く緩衝機能を有する絶縁層２０として好適である。具体的には、屈折率が１．６以上、さらに好ましくは屈折率１．７以上であり、平面状の分子構造を有する有機材料（例えば、ＨＡＴＣＮ）を用いることが好ましい。
【００３８】
このような絶縁層２０は、膜厚が２５ｎｍ以上であることにより、第１発光素子ＥＬ１と第２発光素子ＥＬ２との絶縁性を確保する。また絶縁層２０は、膜厚が１００ｎｍ以下であることにより成膜時間および製造コストの低減を図る。
【００３９】
［発光駆動回路３０］
発光駆動回路３０は、第１発光素子ＥＬ１の電極層１０１，１０２と第２発光素子ＥＬ２の電極層２０１，２０２、および制御部４０に接続されている。この発光駆動回路３０は、制御部４０からの指示によって第１発光素子ＥＬ１の電極層１０１，１０２および第２発光素子ＥＬ２の電極層２０１，２０２に対して、相当量の電流または電圧を印加する構成である。
【００４０】
このような発光駆動回路３０は、第１発光素子ＥＬ１の電極層１０１，１０２間に接続された電源３１、および第２発光素子ＥＬ２の電極層２０１，２０２間に接続された電源３２を個別に備えている。そして発光駆動回路３０は、制御部４０からの指示により、第１発光素子ＥＬ１および第２発光素子ＥＬ２の発光をそれぞれ個別に駆動制御することにより、照明装置１において発生させる照明光の調色・調光を自在としている。
【００４１】
また発光駆動回路３０は、制御部４０からの指示によって、照明装置１を発光駆動させる際、すなわち照明装置１がオン状態となった場合には、白色光ｈｗを発生する第１発光素子ＥＬ１に対して常に電流を印加する構成であってもよい。
【００４２】
さらに発光駆動回路３０は、基板１０側から取り出す照明光の輝度を上げる(下げる）ように制御部４０から指示された場合には、第１発光素子ＥＬ１の電極層１０１，１０２に印加する電流を上昇（下降）させ、白色光ｈｗの輝度を調整する。
【００４３】
また発光駆動回路３０は、基板１０側から取り出す照明光の色温度を変更するように制御部４０から指示された場合には、第２発光素子ＥＬ２の電極層２０１，２０２に、色温度の変化量に相当する電流を印加する。これにより、白色光ｈｗ’を発生させて色温度を調整する。この際、照明光の輝度を一定に保つ場合には、第１発光素子ＥＬ１の電極層１０１，１０２に印加する電流を下降させる。なお、第２発光素子ＥＬ２が、青色光ｈｂまたは黄色光ｈｙを発光するものである場合、白色光ｈｗ’を発生するものである場合と比較し、基板１０側から取り出す照明光の輝度の調整範囲は狭いものの、色温度の調整範囲を広くすることができる。
【００４４】
以上のような発光駆動回路３０は、第１発光素子ＥＬ１および第２発光素子ＥＬ２が設けられた基板１０上に形成された薄膜回路であってもよいし、これらとは別体で形成され第１発光素子ＥＬ１の電極層１０１，１０２と第２発光素子ＥＬ２の電極層２０１，２０２とに接続されたものであってもよい。
【００４５】
［制御部４０］
制御部４０は、照明装置１のオンオフを指示するためのスイッチ部、照明装置１から照射される光の調光および調色を指示する操作部を備えている。このような制御部４０は、第１発光素子ＥＬ１、第２発光素子ＥＬ２、および発光駆動回路３０と共に、一体化して設けられたものであってもよいし、これらとは別体としても設けられたリモートコントローラであってもよい。制御部４０がリモートコントローラである場合、発光駆動回路３０と制御部４０とは、それぞれが通信部を有し、この通信部を介しての無線通信によって接続される構成となっている。
【００４６】
［第１実施形態の効果］
以上説明したように第１実施形態の照明装置１は、絶縁層２０を介して積層した発光素子ＥＬ１，ＥＬ２の発光が、発光駆動回路によってそれぞれ個別に駆動制御される構成である。これにより、照明装置１において発生させる照明光の調色・調光が自在であって、調色・調光の自由度を得ることができる。例えば光取り出し側とは逆側に積層された第２発光素子ＥＬ２も、光取り出し側の第１発光素子ＥＬ１とは個別に十分な輝度で発光させることが可能であるため、十分な輝度での調光および調色を行うこと可能となる。また、絶縁層２０を介して積層された複数の発光素子ＥＬ１，ＥＬ２のうちの少なくともその１つが白色光ｈｗを発光する第１発光素子ＥＬ１であることにより、複数の発光素子からの光を合成して白色光を得る構成と比較して、白色光の光取り出し効率の向上を図ることが可能となる。また特に、白色光ｈｗを発光する第１発光素子ＥＬ１を、光取り出し側に最も近く配置したことにより、第１発光素子ＥＬ１における白色光ｈｗを最も効率よく取り出すことが可能である。この結果、有機電界発光素子を発光体として用いながらも、調色機能を有する照明装置１の輝度の向上を図ることができる。また、発光効率の向上により発光素子ＥＬ１，ＥＬ２の寿命特性の向上を図ることができるため、照明装置１の長寿命化を図ることも可能となる。
【００４７】
≪第２実施形態≫
図２は、第２実施形態に係る照明装置２の断面模式図である。この図に示す照明装置２が、図１を用いて説明した第１実施形態の照明装置１と異なるところは、有機電界発光素子の積層数であり、基板１０の一主面上に、互いに積層された３つ以上の発光素子ＥＬ１，ＥＬ２’，…ＥＬｎを設けたところにある。このような照明装置２において、基板１０および第１発光素子ＥＬ１の構成は，第１実施形態と同様である。このため、以下において第１実施形態と同様の構成要素には同一の符号を付し、重複する説明は省略する。
【００４８】
［発光素子ＥＬ１，ＥＬ２’，…ＥＬｎ］
発光素子ＥＬ１，ＥＬ２’，…ＥＬｎは、それぞれが一対の電極層間に発光ユニットを備えた有機電界発光素子であって、光取り出し側（ここでは基板１０側）から、第１発光素子ＥＬ１、第２発光素子ＥＬ２’、…第ｎ発光素子ＥＬｎの順に積層されている。
【００４９】
これらのうち少なくとも１つが白色光ｈｗを発光するものであり、最も光取り出し側に配置された第１発光素子ＥＬ１が白色光ｈｗを発光するものであることが好ましいことは、第１実施形態での説明と同様である。また、このような第１発光素子ＥＬ１の構成は、第１実施形態で説明した構成と同様である。
【００５０】
また第２発光素子ＥＬ２’〜第ｎ発光素子ＥＬｎは、互いに絶縁層２０を介して第１発光素子ＥＬ１上に互いに積層されたものである。これらの第２発光素子ＥＬ２’〜第ｎ発光素子ＥＬｎは、第１発光素子ＥＬ１で発生させた白色光ｈｗの調光・調色に用いられる有機電界発光素子であり、第１発光素子ＥＬ１で発生させた所定の色温度の白色光ｈｗを、上述した色温度の範囲で調整して照明装置２から取り出すための光を発生する。このような第２発光素子ＥＬ２’〜第ｎ発光素子ＥＬｎは、それぞれが異なる色の発光光を発生するものであり、青色光ｈｂ、黄色光ｈｙ、または白色光ｈｗ’を発光する有機電界発光素子の何れかである。白色光ｈｗ’は、第１発光素子ＥＬ１で発生させた白色光ｈｗとは異なる色温度である。
【００５１】
以上のような第２発光素子ＥＬ２’〜第ｎ発光素子ＥＬｎのうち、最も光取り出し側から遠く配置された第ｎ発光素子ＥＬｎが、第１実施形態で説明した照明装置１における第２発光素子ＥＬ２と同様の構成となる。すなわち、最も光取り出し側から遠く配置された第ｎ発光素子ＥＬｎは、これを構成する一対の電極層ｎ０１，ｎ０２のうち、光取出し側に配置された電極層ｎ０１が透明電極層として構成される。また、これとは逆側に配置された電極層ｎ０２は、反射電極層として構成されることが好ましい。透明電極層および反射電極層は、第１実施形態で説明した構成と同様の構成のものが用いられる。
【００５２】
また第２発光素子ＥＬ２’〜第ｎ発光素子ＥＬｎのうち、最も光取り出し側から遠く配置された第ｎ発光素子ＥＬｎ以外の全て（ここでは代表して第２発光素子ＥＬ２’とする）は、一対の電極層２０１’，２０２’の両方とものが透明電極層で構成されている。透明電極層の構成は、第１実施形態で説明したと同様の構成のものが用いられる。
【００５３】
なお、第２発光素子ＥＬ２’〜第ｎ発光素子ＥＬｎを構成する各発光ユニット２０３’〜 発光ユニットｎ０３は、各発色の発光光が得られる発光層を備えていれば、その積層構造が限定されることはない。各発光ユニット２０３’〜 発光ユニットｎ０３の積層構造の一例は、第１実施形態において説明した発光ユニット１０３と同様の積層構成が例示されるが、それぞれが同一の積層構造でなくてもよい。
【００５４】
［発光駆動回路３０’］
発光駆動回路３０’は、第１発光素子ＥＬ１〜第ｎ発光素子ＥＬｎの各電極層、および制御部４０’に接続されている。この発光駆動回路３０’は、制御部４０’からの指示によって、第１発光素子ＥＬ１〜第ｎ発光素子ＥＬｎの各電極層に対して、相当量の電流または電圧を印加する構成である。
【００５５】
このような発光駆動回路３０’は、第１発光素子ＥＬ１〜第ｎ発光素子ＥＬｎの各電極層間に個別に接続された電源３１，３２，…３ｎを備える。そして発光駆動回路３０'は、制御部４０’からの指示により、第１発光素子ＥＬ１〜第ｎ発光素子ＥＬｎの発光をそれぞれ個別に駆動制御することにより、照明装置２において発生させる照明光の調色・調光を自在としている。
【００５６】
また発光駆動回路３０’は、制御部４０’からの指示によって、照明装置２を発光駆動させる際、すなわち照明装置２がオン状態となった場合には、白色光ｈｗを発生する第１発光素子ＥＬ１に対して常に電流を印加する構成であることは、第１実施形態と同様である。
【００５７】
さらに発光駆動回路３０’による第１発光素子ＥＬ１〜第ｎ発光素子ＥＬｎの駆動制御は、第１実施形態と同様に実施される。また発光駆動回路３０’は、基板１０上に形成された薄膜回路であってもよいし、これらとは別体で形成されたものであってもよいことも、第１実施形態と同様である。
【００５８】
［制御部４０’］
制御部４０’は、第１実施形態の制御部４０と同様のものであってよい。ただし、第１実施形態の制御部４０よりも、調色・調光の範囲が広いものとなる。
【００５９】
［第２実施形態の効果］
以上のような構成の照明装置２であっても、絶縁層２０を介して積層した発光素子ＥＬ１，ＥＬ２’，…ＥＬｎの発光が、発光駆動回路によってそれぞれ個別に駆動制御される構成であり、また複数の発光素子ＥＬ１，ＥＬ２’，…ＥＬｎのうちの少なくともその１つが白色光ｈｗを発光する第１発光素子ＥＬ１であり、またこの第１発光素子ＥＬ１を光取り出し側に最も近く配置したことにより、第１実施形態と同様の効果を得ることができる。
【００６０】
以上説明した第１実施形態および第２実施形態においては、絶縁層を介して複数の発光素子を積層した構成において、少なくともその１つが白色光ｈｗを発光する構成の照明装置を説明した。しかしながら、別の発明として、絶縁層を介して複数の発光素子を積層した構成において、各発光素子の発光色を限定することなく、各発光素子の発光をそれぞれ個別に駆動制御する発光駆動回路を備えた構成を提示することができる。このような構成の照明装置では、複数の発光素子を個別に駆動制御することにより、照明光の調色および調光が広範囲で自在となる。
【符号の説明】
【００６１】
１，２…照明装置
１０…基板
１０１，１０２，２０１，２０２，２０１’，２０２’，ｎ０１，ｎ０２…電極層
１０３，２０３，２０３’，ｎ０３…発光ユニット
２０…絶縁層
３０，３０’…発光駆動回路
ＥＬ１…第１発光素子（有機電界発光素子）
ＥＬ２，ＥＬ２’…第２発光素子（有機電界発光素子）
ＥＬｎ…第ｎ発光素子（有機電界発光素子）
ｈｗ，ｈｗ’…白色光
ｈｂ…青色光
ｈｙ…黄色光
【図１】
2018029032.tif 000003
【図２】
2018029032.tif 000004